(57)【特許請求の範囲】
【請求項１】
ＬＥＤ(3)にＬＥＤ電流(1)が供給されるライン(2)に直列接続された第１抵抗(r1)と、前記第１抵抗(r1)の両端間に接続された第１差動アンプ(6)と、前記ライン(2)の前記第１抵抗(r1)に対して並列接続された第２抵抗(r2)と、前記第２抵抗(r2)の両端間に接続された第２差動アンプ(10)と、前記第１、第２差動アンプ(6,10)からの第１、第２差動出力(6a,10a)が入力される誤差増幅器(7)と、前記第２抵抗(r2)の一端にコレクタ(C)が接続されると共にエミッタ(E)が抵抗(R)を介してアース(8)に接続されたトランジスタ(9)と、前記誤差増幅器(7)の誤差出力(7A)及び前記抵抗(R)の一端と前記エミッタ(E)に接続された電流源(12)が入力されその出力側(11A)が前記トランジスタ(9)のベース(B)に接続されたオペアンプ(11)とを備え、
前記第１抵抗(r1)によって前記ＬＥＤ電流(1)が検出され、前記第１抵抗(r1)の電圧降下が前記第１差動アンプ(6)によって検出されると共に分流した電流が前記第２抵抗(r2)によって検出され、前記第２抵抗(r2)の電圧降下は前記第２差動アンプ(10)によって検出され、前記各差動出力(6a,10a)が前記誤差増幅器(7)に入力されて比較され、前記誤差増幅器(7)の誤差出力(7A)が零となるように前記オペアンプ(11)とトランジスタ(9)によって前記電流源(12)が制御されることを特徴とするＬＥＤ電流調整治具。
【請求項２】
前記第１抵抗(r1)と第１差動アンプ(6)とは接続端子(4,5)を介して接続されていることを特徴とする請求項１記載のＬＥＤ電流調整治具。
【発明の詳細な説明】
【０００１】
【発明の属する技術分野】
本発明は、ＬＥＤ電流調整治具に関し、特に、光学式エンコーダにおけるＬＥＤの発光特性をチェックする場合に、ＬＥＤ個々のランクが変化してＬＥＤ電流が変化しても、ＬＥＤ電流を安定して約１／２に維持し、この約１／２の状態でのＬＥＤの発光特性を正確にチェックすることができる調整治具を得ると共に、この調整治具によって光学式エンコーダのＬＥＤのチェックを正確に行うことができるようにするための新規な改良に関する。
【０００２】
【従来の技術】
従来、用いられていたこの種の光学式エンコーダにおいては、ＬＥＤの特性劣化等による光量低下を想定し、ＬＥＤ電流が１／２になってもエンコーダが正常に動作するか否かの検査を行っている。
このＬＥＤに印加するＬＥＤ電流を検査用として通常時の約１／２にする方法としては、ＬＥＤに対して所定抵抗値の固定抵抗を並列接続して分流を行っている。
【０００３】
【発明が解決しようとする課題】
従来のＬＥＤ電流の分流方法は、以上のように構成されていたため、次のような課題が存在していた。
すなわち、各光学式エンコーダに用いられるＬＥＤは、個々の特性が異なるために、ランク付けを行ってＬＥＤランクに分けられているが、そのＬＥＤランクに応じて固定抵抗の抵抗値を変更しなくてはならず、その検査には多大の労力と時間とが必要であった。
【０００４】
本発明は、以上のような課題を解決するためになされたもので、特に、ＬＥＤ電流が流れるラインに微小抵抗を直列に設け、この微小抵抗に対して自動的に電流を調整する機能を有する分流のためのブロックを並列に接続し、ＬＥＤのランクに拘わらず自動的にＬＥＤ電流を約１／２に維持することができるようにしたＬＥＤ電流調整治具を提供することを目的とする。
【０００５】
【課題を解決するための手段】
本発明によるＬＥＤ電流調整治具は、ＬＥＤにＬＥＤ電流が供給されるラインに直列接続された第１抵抗と、前記第１抵抗の両端間に接続された第１差動アンプと、前記ラインの前記第１抵抗に対して並列接続された第２抵抗と、前記第２抵抗の両端間に接続された第２差動アンプと、前記第１、第２差動アンプからの第１、第２差動出力が入力される誤差増幅器と、前記第２抵抗の一端にコレクタが接続されると共にエミッタが抵抗を介してアースに接続されたトランジスタと、前記誤差増幅器の誤差出力及び前記抵抗の一端と前記エミッタに接続された電流源が入力されその出力側が前記トランジスタのベースに接続されたオペアンプとを備え、前記第１抵抗によって前記ＬＥＤ電流が検出され、前記第１抵抗の電圧降下が前記第１差動アンプによって検出されると共に分流した電流が前記第２抵抗によって検出され、前記第２抵抗の電圧降下は前記第２差動アンプによって検出され、前記各差動出力が前記誤差増幅器に入力されて比較され、前記誤差増幅器の誤差出力が零となるように前記オペアンプとトランジスタによって前記電流源が制御される構成であり、また、前記第１抵抗と第１差動アンプとは接続端子を介して接続されている構成である。
【０００６】
【発明の実施の形態】
以下、図面と共に本発明によるＬＥＤ電流調整治具の好適な実施の形態について説明する。
図１において符号１で示されるものはＬＥＤ電流であり、このＬＥＤ電流１はライン２上の微小抵抗からなる第１抵抗ｒ１を経てＬＥＤ３に供給され、この第１抵抗ｒ１とＬＥＤ３とは直列接続されている。
【０００７】
前記第１抵抗ｒ１の両端には接続端子４，５が接続されており、この各接続端子４，５には第１差動アンプ６が第１抵抗ｒ１に対して並列に接続され、この第１差動アンプ６の第１差動出力６ａは誤差増幅器７の一方の入力端７ａに入力されている。
前記ライン２の前記第１抵抗ｒ１の手前位置に接続された一方の接続端子４には、第２抵抗ｒ２が前記第１抵抗ｒ１に対して並列に接続され、この第２抵抗ｒ２とアース８間には、トランジスタ９と抵抗Ｒとが直列接続されている。
【０００８】
前記第２抵抗ｒ２の両端間には、第２差動アンプ１０が接続され、この第２差動アンプ１０の第２差動出力１０ａは、前記誤差増幅器７の第２入力端７ｂに入力されている。
【０００９】
前記誤差増幅器７の誤差出力７Ａは、オペアンプ１１の第１入力端１１ａに入力され、前記抵抗Ｒ（すなわち基準源）の一端から得られた電流源１２は前記オペアンプ１１の第２入力端１１ｂに入力されていると共に、このオペアンプ１１の出力側１１Ａは前記トランジスタ９のベースＢに接続されている。前記トランジスタ９のコレクタＣは前記第２抵抗ｒ２の一端に接続され、そのエミッタＥは前記抵抗Ｒの一端に接続され、前記電流源１２は前記抵抗Ｒの一端と前記エミッタＥに接続されている。
【００１０】
次に、動作について説明する。まず、図１の動作特性を検査しようとするＬＥＤ３に微小抵抗の第１抵抗ｒ１を接続し、各接続端子４，５にＬＥＤ電流調整治具２０を接続すると、このＬＥＤ電流調整治具２０が第１抵抗ｒ１に対して並列接続された可変分流器としてＬＥＤ電流１に対して作用する。
すなわち、前記第１抵抗ｒ１によってＬＥＤ電流１が検出され、この第１抵抗ｒ１の電圧降下が第１差動アンプ６によって検出され、分流した電流が第２抵抗ｒ２によって検出される。
【００１１】
前記第２抵抗ｒ２の電圧降下は第２差動アンプ１０によって検出され、誤差増幅器７においては各差動出力６ａ、１０ａが入力されて比較され、この出力である誤差出力７Ａが零となるようにオペアンプ１１とトランジスタ９によって電流源１２が制御されて分流値が変化される。
従って、ＬＥＤ３のランク及びＬＥＤ電流１の大小に拘わりなく、ＬＥＤ電流１を約１／２に設定（第１、第２抵抗ｒ１とｒ２の設定値による）してこの値にＬＥＤ電流１を正確にかつ自動的に制御することができる。そのため、ＬＥＤ３の特性にバラツキがある各ＬＥＤ３のＬＥＤランクに関係なくこのＬＥＤ電流調整治具２０を用いてＬＥＤ３の測定を行うことができる。
【００１２】
【発明の効果】
本発明によるＬＥＤ電流調整治具は、以上のように構成されているため、次のような効果を得ることができる。
すなわち、ＬＥＤ電流が流れるラインに微小抵抗よりなる第１抵抗を設け、この第１抵抗に対してＬＥＤ電流を分流させる治具を並列接続させてＬＥＤ電流を約１／２となるように制御しているため、ＬＥＤ個々の特性のバラツキによるＬＥＤランクに差がある場合でも自動調整され、従来よりも簡単かつ正確にＬＥＤの測定を行うことができる。
【図面の簡単な説明】
【図１】  本発明によるＬＥＤ電流調整治具を示す回路図である。
【符号の説明】
１    ＬＥＤ電流
２    ライン
３    ＬＥＤ
ｒ１    第１抵抗
ｒ２    第２抵抗
６    第１差動アンプ
１０    第２差動アンプ
８    アース
９    トランジスタ
Ｒ    抵抗
７    誤差増幅器
７Ａ    誤差出力
６ａ、１０ａ    第１，第２差動出力
１１    オペアンプ
Ｂ ベース
Ｃ コレクタ
Ｅ エミッタ
【図１】
0004007810.tif 000002